(57)【要約】      （修正有）【課題】トイレットペーパーの使用状況を監視することで、簡単且つ低コストで高齢者などの生活状況をモニター可能とする。【解決手段】トイレットペーパー監視装置１０は、トイレットペーパーの回転により動作して外部に制御信号を無線送信する。受信装置１８は、トイレットペーパー監視装置１０からの制御信号を受信して所定の表示又は制御を行う。トイレットペーパー監視装置１０は、トイレットペーパー１２の芯１４に対し着脱自在なユニット本体と、ユニット本体に収納され、トイレットペーパー１２の回転に伴い発電する発電部と、ユニット本体に収納され、発電部から電力供給を受けた際に動作し、制御信号を外部に無線送信する送信回路部とを備える。【選択図】図１
2009282879.tif 000002
【特許請求の範囲】
【請求項１】
トイレットペーパーの回転により動作して外部に制御信号を無線送信するトイレットペーパー監視装置と、
前記トイレットペーパー監視装置からの制御信号を受信して所定の表示又は制御を行う受信装置と、
を備え、更に、
前記トイレットペーパー監視装置は、
トイレットペーパーの芯に対し着脱自在なユニット本体と、
前記ユニット本体に収納され、前記トイレットペーパーの回転に伴い発電する発電部と、
前記ユニット本体に収納され、前記発電部から電力供給を受けた際に動作し、制御信号を外部に無線送信する送信回路部と、
を備えたことを特徴とするトイレットペーパー監視システム。
【請求項２】
トイレットペーパーの回転により動作して外部に制御信号を無線送信するトイレットペーパー監視装置と、
前記トイレットペーパー監視装置からの制御信号を受信して所定の表示又は制御を行う受信装置と、
を備え、更に、
前記トイレットペーパー監視装置は、
ペーパー巻器のアーム部内側に設けたトイレットペーパーを着脱且つ回転自在に支持する一方の突起部材に回転自在に装着されたユニット本体と、
前記ユニット本体に収納され、前記トイレットペーパーの回転に伴い発電する発電部と、
前記ユニット本体に収納され、前記発電部から電力供給を受けた際に動作し、制御信号を外部に無線送信する送信回路部と、
を備えたことを特徴とするトイレットペーパー監視システム。
【請求項３】
請求項１又は２記載のトイレットペーパー監視システムに於いて、前記トイレットペーパー監視装置の発電部は、
前記ユニット本体を構成する円筒体の内周方向に分散して配置した複数の圧電素子と、
前記圧電素子の配置部位に飛び跳ね自在に収納され、前記トイレットペーパーの回転に伴って前記圧電素子に衝突して発電させる鋼球と、
前記圧電素子からの発電電力を整流して前記送信回路部に直流電力を供給する整流回路と、
を備えたことを特徴とするトイレットペーパー監視システム。
【請求項４】
請求項１又は２記載のトイレットペーパー監視システムに於いて、前記受信装置は、前記制御信号を受信した際に、トイレの使用を示す生活モニタ信号を通信回線を介して端末装置に送信して表示させることを特徴とするトイレットペーパー監視システム。
【請求項５】
請求項１又は２記載のトイレットペーパー監視システムに於いて、前記受信装置は、不在モードを設定した状態で前記制御信号を受信した際に、通信回線を介して侵入者検知信号を端末装置に送信して警報表示させることを特徴とするトイレットペーパー監視システム。
【請求項６】
請求項１又は２記載のトイレットペーパー監視システムに於いて、前記受信装置は、前記制御信号を受信した際に、音楽を出力させることを特徴とするトイレットペーパー監視システム。
【請求項７】
請求項１又は２記載のトイレットペーパー監視システムに於いて、前記受信装置は、前記制御信号を受信した際に、イリミネーションを表示させることを特徴とするトイレットペーパー監視システム。
【請求項８】
請求項１又は２記載のトイレットペーパー監視システムに於いて、前記受信装置は、前記制御信号を受信した際に、脱臭装置を作動させることを特徴とするトイレットペーパー監視システム。
【請求項９】
請求項１又は２記載のトイレットペーパー監視システムに於いて、前記受信装置は、前記トイレットペーパー監視装置から受信した制御信号に基づいて前記トイレットペーパーの残量を求めて表示することを特徴とするトイレットペーパー監視システム。
【請求項１０】
トイレットペーパーの芯に対し着脱自在なユニット本体と、
前記ユニット本体に収納され、前記トイレットペーパーの回転に伴い発電する発電部と、
前記ユニット本体に収納され、前記発電部から電力供給を受けた際に動作し、制御信号を外部に無線送信する送信回路部と、
を備えたことを特徴とするトイレットペーパー監視装置。
【請求項１１】
ペーパー巻器のアーム部内側に設けたトイレットペーパーを着脱且つ回転自在に支持する一方の突起部材に回転自在に装着されたユニット本体と、
前記ユニット本体に収納され、前記トイレットペーパーの回転に伴い発電する発電部と、
前記ユニット本体に収納され、前記発電部から電力供給を受けた際に動作し、制御信号を外部に無線送信する送信回路部と、
を備えたことを特徴とするトイレットペーパー監視装置。
【請求項１２】
請求項１０又は１１記載のトイレットペーパー監視装置に於いて、前記発電部は、
前記ユニット本体を構成する円筒体の内周方向に分散して配置した複数の圧電素子と、
前記圧電素子の配置部位に飛び跳ね自在に収納され、前記トイレットペーパーの回転に伴って前記圧電素子に衝突して発電させる鋼球と、
前記圧電素子からの発電電力を整流して前記送信回路部に直流電力を供給する整流回路と、
を備えたことを特徴とするトイレットペーパー監視装置。
【発明の詳細な説明】
【技術分野】
【０００１】
本発明は、トイレットペーパーの使用を監視して生活状況をモニター可能とするトイレットペーパー監視システム及び装置に関する。
【背景技術】
【０００２】
従来、高齢者の日常生活を遠隔的にモニターする生活モニターシステムにあっては、電気ポットや炊飯ジャーなどの日常的に使用する電気製品の使用状況や動作状況を検出して通信回線を介してホームヘルパー等の形態する受信機に送信し、家庭生活の状況を遠隔的にモニターできるようにしている。
【特許文献１】特開平１１−１２０４６６号公報
【特許文献２】特開２０００−１３８７６１号公報
【特許文献３】特開平２０００−７８０３４号公報
【発明の開示】
【発明が解決しようとする課題】
【０００３】
しかしながら、このような従来の電気ポットや炊飯ジャーなどの電気製品の使用状況や動作状況を検出してモニターするシステムにあっては、モニター機能を対象とする電気製品に一体化する必要があり、その分、対象とする電気製品の価格が高価となり、広範に普及するまでには至っていない問題がある。
【０００４】
本発明は、トイレットペーパーの使用状況を監視することで、高齢者などの生活状況をモニター可能とする簡単且つ低コストなトイレットペーパー監視装置及びシステムを提供することを目的とする。
【課題を解決するための手段】
【０００５】
本発明はトイレットペーパー監視システムを提供する。本発明のトイレットペーパー監視システムは、
トイレットペーパーの回転により動作して外部に制御信号を無線送信するトイレットペーパー監視装置と、
トイレットペーパー監視装置からの制御信号を受信して所定の表示又は制御を行う受信装置と、
を備え、更に、トイレットペーパー監視装置は、
トイレットペーパーの芯に対し着脱自在なユニット本体と、
ユニット本体に収納され、トイレットペーパーの回転に伴い発電する発電部と、
ユニット本体に収納され、発電部から電力供給を受けた際に動作し、制御信号を外部に無線送信する送信回路部と、
を備えたことを特徴とする。
【０００６】
また本発明の別の形態にあっては、
トイレットペーパーの回転により動作して外部に制御信号を無線送信するトイレットペーパー監視装置と、
トイレットペーパー監視装置からの制御信号を受信して所定の表示又は制御を行う受信装置と、
を備え、更に、
トイレットペーパー監視装置は、
ペーパー巻器のアーム部内側に設けたトイレットペーパーを着脱且つ回転自在に支持する一方の突起部材に回転自在に装着されたユニット本体と、
ユニット本体に収納され、前記トイレットペーパーの回転に伴い発電する発電部と、
ユニット本体に収納され、前記発電部から電力供給を受けた際に動作し、制御信号を外部に無線送信する送信回路部と、
を備えたことを特徴とする。
【０００７】
ここで、トイレットペーパー監視装置の発電部は、
ユニット本体を構成する円筒体の内周方向に分散して配置した複数の圧電素子と、
圧電素子の配置部位に飛び跳ね自在に収納され、トイレットペーパーの回転に伴って圧電素子に衝突して発電させる鋼球と、
圧電素子からの発電電力を整流して送信回路部に直流電力を供給する整流回路と、
を備える。
【０００８】
受信装置は、制御信号を受信した際に、トイレの使用を示す生活モニタ信号を通信回線を介して端末装置に送信して表示させる。
【０００９】
受信装置は、不在モードを設定した状態で前記制御信号を受信した際に、通信回線を介して侵入者検知信号を端末装置に送信して警報表示させる。
【００１０】
受信装置は、制御信号を受信した際に、音楽を出力させる。
【００１１】
受信装置は、制御信号を受信した際に、イリミネーションを表示させる。
【００１２】
受信装置は、制御信号を受信した際に、脱臭装置を作動させる。
【００１３】
受信装置は、トイレットペーパー監視装置から受信した制御信号に基づいてトイレットペーパーの残量を求めて表示する。
【００１４】
本発明の別の形態にあっては、トイレットペーパー監視装置を提供する。本発明のトイレットペーパー監視装置は、
トイレットペーパーの芯に対し着脱自在なユニット本体と、
ユニット本体に収納され、前記トイレットペーパーの回転に伴い発電する発電部と、
ユニット本体に収納され、発電部から電力供給を受けた際に動作し、制御信号を外部に無線送信する送信回路部と、
を備えたことを特徴とする。
【００１５】
本発明のトイレットペーパー監視装置の別の形態にあっては、
ペーパー巻器のアーム部内側に設けたトイレットペーパーを着脱且つ回転自在に支持する一方の突起部材に回転自在に装着されたユニット本体と、
ユニット本体に収納され、トイレットペーパーの回転に伴い発電する発電部と、
ユニット本体に収納され、発電部から電力供給を受けた際に動作し、制御信号を外部に無線送信する送信回路部と、
を備えたことを特徴とする。
【発明の効果】
【００１６】
本発明によれば、トイレットペーパーの芯にトイレットペーパー監視装置を装着しておくだけで、トイレットペーパーを使用するときの回転に伴ってトイレットペーパー監視装置から制御信号が無線で送信され、この制御信号を受信装置で受信して表示や制御、例えば通信回線によりホームヘルパー側の端末に伝送してモニター表示させることで、高齢者などの生活状況を遠隔的にモニターすることができる。
【００１７】
また、トイレットペーパー監視装置に、トイレットペーパーの引き出しに伴う回転で発電する発電部が設けられ、発電部からの電力により送信部から制御信号を無線により送信しているため、動作電源の供給とトイレットペーパーの使用検出が同時に行われ、電源とセンサを別々に設ける必要がなく、電池使用時のような電池交換の手間や管理が不要となり、同時に装置の構成が簡略化されてコストを低減することができる。
【００１８】
またトイレットペーパー監視装置からの制御信号を受信する受信装置として、生活モニター以外に、侵入者検知による警報、音楽出力、イリミネーション点灯、脱臭装置の作動、トイレットペーパーの残量表示などの様々な機能を必要に応じて提供することができ、在宅監視、ホームセキュリティ、快適環境構築、トイレットペーパー管理など広範に利用でき、安全で快適な生活環境を提供することができる。
【発明を実施するための最良の形態】
【００１９】
図１は本発明によるトイレットペーパー監視システムの実施形態を示した説明図である。図１において、本実施形態のトイレットペーパー監視システムは、トイレットペーパー監視装置１０と受信装置１８で構成される。
【００２０】
トイレットペーパー監視装置１０は、トイレに設置されているペーパー巻器１６にセットするトイレットペーパー１２の芯１４の中に挿入して使用される。トイレットペーパー監視装置１０は、トイレットペーパー１２を巻き出す際の芯１４の回転により動作し、外部に制御信号を無線送信する。受信装置１８はトイレの内部または外部に設置されており、トイレットペーパー監視装置１０からの制御信号を受信して、所定の表示または制御を行う。
【００２１】
図１の実施形態にあっては、トイレットペーパー監視装置１０を使用した生活モニターを例に取っており、このため受信装置１８はインターネット２０に接続されている。インターネット２０にはサーバ２２が接続され、受信装置１８及びトイレットペーパー監視装置１０を設置した住戸または施設などに対する生活モニターサービスを提供している。
【００２２】
またインターネット２０に対しては、サーバ２２により提供される生活モニターサービスを受けるモニター端末２４が接続されている。モニター端末２４としてはパーソナルコンピュータが通常使用される。またインターネット２０は携帯電話網２６に接続されており、サーバ２２による生活モニターサービスによる情報を携帯電話網２６から携帯電話２８に提供できるようにしている。
【００２３】
このような生活モニターシステムにあっては、トイレットペーパー監視装置１０及び受信装置１８は例えば高齢者が居住する住居に設置されており、モニター端末２４及び携帯電話２８はホームヘルパーなどのモニター側に配置されることになる。
【００２４】
図２は図１の実施形態におけるトイレットペーパー監視装置の構造を示した説明図である。図２（Ａ）はトイレットペーパー監視装置１０の軸方向の断面であり、円筒状のユニット本体３０の両端にキャップ３２，３４を装着して内部を封止している。
【００２５】
キャップ３２側には、ユニット本体３０と一体に形成した仕切り壁により区切られた発電室３６が形成されている。発電室３６は、そのＸ−Ｘ断面を示す図２（Ｂ）の構造を持つ。図２（Ｂ）において、発電室３６の円周方向の内壁の４箇所には圧電素子４０が配置され、その内部の空洞に鋼球４２を飛び跳ね自在に収納している。
【００２６】
このようなトイレットペーパー監視装置１０の発電室３６の構造によれば、図３に示すように、トイレットペーパー１２の芯１４に本実施形態のトイレットペーパー監視装置１０を挿入固定した状態でトイレットペーパー１２を使用するために巻き出すと、トイレットペーパー１２が矢印方向に回転する。
【００２７】
このトイレットペーパー１２の回転により、発電室３６の空洞部に収納している鋼球４２が内壁に当たって内部で飛び跳ね、内周方向に配置している圧電素子４０にランダムに衝突する。
【００２８】
圧電素子４０に鋼球４２が衝突すると、衝突による歪みを受けて圧電素子４０が電力を発生する。この圧電素子４０に対する鋼球４２の衝突に伴う発電により、本実施形態のトイレットペーパー監視装置１０は制御信号を無線で外部に送信することができる。
【００２９】
再び図２（Ａ）を参照するに、発電室３６の右側には回路収納部３８が形成され、ここに回路基板４４を収納している。回路基板４４の右側にはアンテナ４６が設けられている。回路基板４４には、後の説明で明らかにするように送信回路部が実装されており、トイレットペーパーの回転に伴う鋼球４２の圧電素子４０に対する衝突で発生した電力を回路基板４４に電源として供給し、制御信号をアンテナ４６から無線により外部に送信することができる。
【００３０】
図４はトイレットペーパー監視装置と受信装置の実施形態を示した回路ブロック図である。図４において、トイレットペーパー監視装置１０は発電部４８と送信回路部５０を備えている。発電部４８には圧電素子発電回路５２と整流回路５４が設けられている。
【００３１】
圧電素子発電回路５２は、図２及び図３に示した発電室３６に設けた鋼球４２のトイレットペーパーの使用に伴う回転で衝突を受けた圧電素子４０からの発電電力を整流回路５４に入力している。整流回路５４は圧電素子発電回路５２からの鋼球の衝突に伴う交流的な電力入力を整流して直流電力に変換し、送信回路部５０に直流電源として供給している。
【００３２】
送信回路部５０には制御回路５６と発信回路５８が設けられている。制御回路５６としては例えばＣＰＵなどが使用され、整流回路５４より直流電源の供給を受けると動作し、所定のデータフォーマットを持った制御信号を発信回路５８に出力する。
【００３３】
発信回路５８は制御回路５６からの制御信号を予め割り当てられた周波数により変調し、アンテナ４６より外部に送信する。発信回路５８による無線送信は、無線局としての許可が必要のない小電力送信を使用して、例えば３１５ＭＨｚの送信周波数を利用して送信する。
【００３４】
受信装置１８には、アンテナ６０、受信回路６２、制御回路６４、ネットワーク送信回路６６、電源回路６８及びＡＣプラグ７０が設けられている。受信回路６２はトイレットペーパー監視装置１０から送信された信号を受信復調し、復調した制御信号を制御回路６４に出力する。
【００３５】
制御回路６４は例えばＣＰＵが使用され、トイレットペーパー監視装置１０からの制御信号の受信に基づいた所定の表示動作や制御動作を行う。ネットワーク出力回路６６は、例えば図１の実施形態にあっては生活モニターシステムを例に取っていることから、生活モニター信号をインターネット２０を介してサーバ２２に送信する。
【００３６】
このためのネットワーク送信回路６６としては、通常、ネットワークアダプタが使用され、ネットワークアダプタは例えばイーサネット（Ｒ）などに対する通信プロトコルに従ったモニター信号の送信処理を実行する。
【００３７】
電源回路６８は、本実施形態にあってはＡＣプラグ７０によりＡＣ１００ボルトの供給を受けて各回路部に直流電源を供給している。なお電源回路６８としては、ＡＣ電源の整流によらず電池電源を使用してもよい。
【００３８】
次に図４において、本実施形態のトイレットペーパー監視システムにおける生活モニターシステムとしての動作を説明する。トイレットペーパー監視装置１０は図１に示すように、生活モニターの対象とする例えば高齢者住宅のトイレで使用するトイレットペーパー１２の芯１４にセットされ、ペーパー巻器１６に装着されて使用される。
【００３９】
日常生活でトイレを使用した際に、ペーパー巻器１６よりトイレットペーパー１２を図３のように巻き出すと、トイレットペーパー１２の芯１４にセットしているトイレットペーパー監視装置１０が一体に回転し、発電部３６に収納している鋼球４２が飛び跳ねて、内周面に配置している複数の圧電素子４０に衝突し、この衝突を受けて圧電素子４０が発電動作を行って発電電力を生ずる。
【００４０】
鋼球４２の衝突により圧電素子４０で発電した電力は、図４の圧電素子発電回路５２で集められ、整流回路５４に入力され、直流電力に変換されて送信回路部５０に直流電力を供給して動作する。直流電力の供給を受けて送信回路部５０が動作すると、制御回路５６が所定の制御信号を発信回路５８に出力し、発信回路５８は例えば３１５ＭＨｚの送信周波数を利用して制御信号をアンテナ４６より送信する。
【００４１】
トイレットペーパー監視装置１０からの送信信号は受信装置１８のアンテナ６０で受信され、受信回路６２で復調されて制御信号が得られ、この制御信号を制御回路６４に入力する。制御回路６４はモニター対象となる住居のトイレでトイレットペーパーが使用されたことを示す生活モニター信号を生成する。
【００４２】
生活モニター信号は、例えば、受信装置１８の設置住戸を示すアドレス、トイレットペーパーの使用を示すペーパー使用ステータスを含むフォーマットのデータとして生成され、ネットワーク送信回路６６の送信プロトコルに従ってインターネット２０を介してサーバ２２に送信される。
【００４３】
サーバ２２にあっては、受信装置１８を対象とした生活モニターサービスのアプリケーションプログラムが実行されており、受信装置１８から生活モニター信号を受信すると、そのアドレス及びモニター信号に基づきデータベースに生活モニター情報を登録する。
【００４４】
また、必要があればインターネット２０を介して、ホームヘルパーなどが使用しているモニター端末２４や携帯電話２８に対し生活モニター信号が受信されたことを伝送して表示させる。
【００４５】
またモニター端末２４あるいは携帯電話２８からサーバ２２にモニター情報の閲覧要求があった場合、サーバ２２は、そのとき受信したデータベースに保存している受信装置１８からのモニター情報を、モニター端末２４あるいは携帯電話２８側に、それぞれの例えばブラウザ機能などにより表示させる。
【００４６】
図５は受信装置の他の実施形態を示した回路ブロック図である。図５において、この実施形態の受信装置１８には、図３の受信装置に加え更に不在設定スイッチ７１が設けられ、更に出力側に出力回路７２を介して音楽再生装置７４、イリミネーション装置７６及び脱臭装置７８を接続している。更に、制御回路６４に対してはペーパー残量表示器８０が接続されている。
【００４７】
不在設定スイッチ７１は、本実施形態のトイレットペーパー監視システムを侵入者監視システムとして利用する際に使用する。侵入者監視システムとしての利用は、外出時に受信装置１８に設けている不在設定スイッチ７１をオンすると、制御回路６４において不在モードが設定され、侵入者監視機能が有効となる。
【００４８】
この状態で、受信回路６２でトイレットペーパー監視装置１０から制御信号を受信すると、制御回路６４は、不在にも拘らずトイレットペーパーの使用が行われたことで侵入者検出と判断し、ネットワーク送信回路６６に対し侵入者検出信号を出力し、インターネット２０を介してサーバ２２に送信し、サーバ２２より利用者が携帯している例えば携帯電話２８に対し侵入者検出警報を出力表示させ、更にモニター端末２４側としては、契約している警備会社などに対し侵入者検出警報を伝送表示させることになる。
【００４９】
また出力回路７２に接続している音楽再生装置７４は、制御回路６４でトイレットペーパー監視装置１０からの制御信号を受信した際に、一定時間に亘り音楽をトイレ内に再生して出力する。
【００５０】
イリミネーション装置７６にあっては、ＬＥＤなどによるイリミネーション装置であり、必要に応じてトイレ内の装飾として設置されており、制御回路６４でトイレットペーパー監視装置１０からの制御信号を受信すると、出力回路７２からの駆動信号によりイリミネーション装置７６を動作して、イリミネーションを発光駆動させることができる。
【００５１】
更に脱臭装置７８については、制御回路６４でトイレットペーパー監視装置１０からの制御信号を受信した際に、出力回路７２から作動信号を脱臭装置７８に出力し、脱臭装置７８を作動して脱臭剤をトイレ内に噴霧させる。
【００５２】
更にペーパー残量表示器８０に対しては、制御回路６４において受信回路６２でトイレットペーパー監視装置１０からの制御信号を受信するごとに、トイレットペーパーの使用時間あるいは使用回数に基づいてトイレットペーパーの残量を推定し、推定した残量をペーパー残量表示器８０に表示させる。
【００５３】
ペーパー残量表示器８０における表示内容としては、パーセント表示などの定数的な表示でもよいし、トイレットペーパーの有無を示す定量的な表示であってもよい。ペーパー残量表示器８０は、望ましくはトイレの扉の外側に設置されており、トイレを利用する際にペーパー残量表示器８０を見ることで、トイレットペーパーの有無を簡単に知ることができる。
【００５４】
例えばペーパー残量表示器８０にトイレットペーパーの有無を表示している場合は、住宅にあっては利用する際にトイレットペーパーの有無が簡単に分かるし、それ以外のビルなどの施設のトイレにあっては、トイレットペーパーを管理している清掃会社の担当者がペーパー残量表示器８０を見ることで、トイレットペーパーを交換する際の目安となり、トイレットペーパーの管理が適切且つ容易にできる。
【００５５】
図６は図５の実施形態における受信処理を示したフローチャートである。図６において、受信処理は、電源投入に伴いステップＳ１で初期化を行った後、ステップＳ２でトイレットペーパー監視装置１０からの制御信号の受信の有無をチェックしている。
【００５６】
ステップＳ２で制御信号の受信を判別すると、ステップＳ３に進み、生活モニター信号をネットワークに送信する。続いてステップＳ４で不在モードの有無をチェックし、不在設定スイッチ７１の操作で不在モードが設定されていた場合には、ステップＳ５で侵入者検知信号をネットワークに送信する。
【００５７】
続いてステップＳ６で音楽モードが設定されていた場合には、ステップＳ７で音楽再生装置７４に制御信号を出力して音楽を再生出力させる。またステップＳ８でイリミネーションモードが判別されると、ステップＳ９でイリミネーション装置７６に制御信号を出力してイリミネーションを点灯動作させる。
【００５８】
またステップＳ１０で脱臭モードが設定されていた場合には、ステップＳ１１で脱臭装置７８に制御信号を出力して脱臭剤をトイレ内に噴出させる。更にステップＳ１２で残量表示モードが設定されていた場合には、ステップＳ１３で作動時間または作動回数からペーパー残量を推定し、ステップＳ１４でペーパー残量表示器８０に表示信号を出力してペーパー残量を表示させる。
【００５９】
図７は本発明によるトイレットペーパー監視装置の他の実施形態を示した説明図である。図７の実施形態にあっては、ペーパー巻器１６におけるアーム７２の内側に形成した収納部８５に対する収納位置とトイレットペーパーを支持する水平位置とに回動自在な突起部材８４の一方に、トイレットペーパー監視装置８６を回転自在に装着したことを特徴とする。
【００６０】
図８は図７のトイレットペーパー監視装置８６を取り出して図８（Ａ）にその断面を、また図８（Ｂ）に平面を示している。
【００６１】
図８において、トイレットペーパー監視装置８６は先端を丸くしたユニット本体８８の後部に回転軸９０を一体に形成し、図７のアーム８２に上下に回動自在に装着される回動支持部材９２の軸穴９４に嵌め入れ、止め環９６により抜け止めすることで、回転自在に支持している。
【００６２】
回動支持部材９２は両側に回動軸９８を突出しており、回動軸９８が図７のアーム８２の内側の収納部８５の軸穴に嵌め込まれ、トイレットペーパー監視装置８６を突起部材８４と同様に、収納部８５に収納される垂直位置とトイレットペーパーを支持する水平位置に回動自在としている。
【００６３】
ユニット本体８８の内部には、図２の実施形態と同様に、仕切り壁により区切られた発電室３６が形成され、図２（Ａ）に示したように、発電室３６の円周方向の内壁の４箇所には圧電素子４０が配置され、その内部の空洞に鋼球４２を飛び跳ね自在に収納している。
【００６４】
このため図７のペーパー巻器１６にセットしたトイレットペーパーを巻き出すと、トイレットペーパーの回転によりトイレットペーパー監視装置８６のユニット本体８８が回転し、発電室３６の空洞部に収納している鋼球４２が内壁に当たって内部で飛び跳ね、内周方向に配置している圧電素子４０にランダムに衝突する。
【００６５】
圧電素子４０に鋼球４２が衝突すると、衝突による歪みを受けて圧電素子４０が電力を発生する。この圧電素子４０に対する鋼球４２の衝突に伴う発電により、本実施形態のトイレットペーパー監視装置１０は制御信号を無線で外部に送信することができる。
【００６６】
更に、発電室３６の右側には回路基板４４が収納され、回路基板４４の右側にはアンテナ４６が設けられている。回路基板４４には、図４に示したように、送信回路部５０が実装されており、トイレットペーパーの回転に伴う鋼球４２の圧電素子４０に対する衝突で発生した電力を回路基板４４に電源として供給し、制御信号をアンテナ４６から無線により外部に送信することができる。
【００６７】
この図７，図８の実施形態によれば、ペーパー巻器１６そのものにトイレットペーパー監視装置８６が設けられているため、図１の実施形態におけるトイレットぺーパー監視装置１０をトイレットペーパーの芯に装着する手間をはぶくことができ、取扱いが更に便利になる。
【００６８】
なお図５の実施形態にあっては、不在設定スイッチ７１による侵入者監視機能、音楽再生装置７４、イリミネーション装置７６、脱臭装置７８及びペーパー残量表示器８０を設けているが、本実施形態にあっては、基本的には図４に示した生活モニター機能が中心であり、これに加えて図５に示す侵入者検知、音楽再生、イリミネーション点灯、脱臭、ペーパー残量表示の１または複数を、必要に応じて追加的に設けることができる。
【００６９】
また、音楽再生、イリミネーション点灯、脱臭作動、ペーパー残量表示のそれぞれについて、単独の装置として受信装置１８を設けるようにしてもよいことはもちろんである。
【００７０】
また本発明によるトイレットペーパー監視装置１０からの制御信号の受信による受信装置１８による表示及び制御としては上記の実施形態に限定されず、必要に応じて適宜の表示及び制御を行うことができる。
【００７１】
また本発明は上記の実施形態に限定されず、その目的と利点を損なうことのない適宜の変形を含み、更に上記の実施形態に示した数値による限定は受けない。
【図面の簡単な説明】
【００７２】
【図１】本発明によるトイレットペーパー監視システムの実施形態を示した説明図
【図２】図１の実施形態におけるトイレットペーパー監視装置の構造を示した説明図
【図３】本実施形態におけるトイレットペーパー監視装置の動作を示した説明図
【図４】トイレットペーパー監視装置と受信装置の実施形態を示した回路ブロック図
【図５】受信装置の他の実施形態を示した回路ブロック図
【図６】図５の実施形態における受信処理を示したフローチャート
【図７】本発明によるトイレットペーパー監視装置の他の実施形態を示した説明図
【図８】図７のユニット本体を取り出して示した説明図
【符号の説明】
【００７３】
１０，８６：トイレットペーパー監視装置
１２：トイレットペーパー
１４：芯
１６：ペーパー巻器
１８：受信装置
２０：インターネット
２２：サーバ
２４：モニター端末
２６：携帯電話網
２８：携帯電話
３０，８８：ユニット本体
３１：嵌合突起
３２，３４：キャップ
３６：発電部
３８：回路収納部
４０：圧電素子
４２：鋼球
４４：回路基板
４６，６０：アンテナ
４８：発電部
５０：送信回路部
５２：圧電素子発電回路
５４：整流回路
５６，６４：制御回路
５８：発信回路
６２：受信回路
６６：送信回路
６８：電源回路
７０：ＡＣプラグ
７１：不在スイッチ
７２：出力回路
７４：音楽再生装置
７６：イリミネーション装置
７８：脱臭装置
８０：ペーパー残量表示器
８２：アーム
８４：突起部材
８５：収納部
９０：回転軸
９２：回動支持部材
９４：軸穴
９６：止め環
９８：回動軸
【図１】
2009282879.tif 000003
【図２】
2009282879.tif 000004
【図３】
2009282879.tif 000005
【図４】
2009282879.tif 000006
【図５】
2009282879.tif 000007
【図６】
2009282879.tif 000008
【図７】
2009282879.tif 000009
【図８】
2009282879.tif 000010